(57)【要約】【課題】吊り上げ用フックを引っ掛けるための部分を簡単に確保することのできるワイヤーハーネスの製造方法を提供する。【解決手段】配索台上に設置したＵ字状のフォーク１０の内部に複数の電線Ｗａを収容しながら、所定の経路に沿って電線を配索して、必要箇所にテープ巻きを施すことにより、一体に束ねたワイヤーハーネスＷを得るワイヤーハーネスの製造方法において、Ｕ字状のフォークを構成する上に突き出た２本のピン１２の間に、それら外側のピンより背の低い第３のピン１３を立設することで、三叉状のフォークを構成し、該三叉状のフォークの内部に複数の電線を収容する際に、第３のピンの両側に電線を振り分けて収容し、その状態を保ちながら必要箇所にテープ巻きを施して、束ねた電線をフォークから外すことにより、第３のピンの存在した箇所に吊り上げフックの引っ掛け可能なスリットＳを確保する。【選択図】図１
2010273467.tif 000002
【特許請求の範囲】
【請求項１】
配索台上に設置したＵ字状のフォークの内部に複数の電線を収容しながら、所定の経路に沿って電線を配索して、必要箇所にテープ巻きを施すことにより、一体に束ねたワイヤーハーネスを得るワイヤーハーネスの製造方法において、
前記Ｕ字状のフォークを構成する上に突き出た２本のピンの間に、それら外側のピンより背の低い第３のピンを立設することで、三叉状のフォークを構成し、該三叉状のフォークの内部に複数の電線を収容する際に、前記第３のピンの両側に電線を振り分けて収容し、その状態を保ちながら必要箇所にテープ巻きを施して、束ねた電線をフォークから外すことにより、前記第３のピンの存在した箇所に、吊り上げフックの引っ掛け可能なスリットを確保することを特徴とする吊り上げフックの引っ掛け部を有するワイヤーハーネスの製造方法。
【請求項２】
請求項１に記載のワイヤーハーネスの製造方法に使用される配索治具であって、
配索台上に固定される支持ベースの支柱の上端に、配索しようとする電線を収容するＵ字状のフォークが設けられ、該Ｕ字状のフォークを構成する上に突き出た２本のピンの間に、それら外側のピンより背の低い第３のピンが立設されることで、前記フォークが三叉状とされていることを特徴とするワイヤーハーネス製造用の配索治具。
【請求項３】
請求項２に記載の配索治具であって、
前記外側の２本のピンの間に立設された第３のピンの下端が、前記支持ベースの支柱の上端に上下方向回動可能に連結され、二叉状フォークとして利用するときは、前記第３のピンを下側に回動させて前記支持ベースの支柱に沿って保持し、三叉状フォークとして利用するときは、前記第３のピンを上側に回動させて、前記外側の２本のピンの間に保持することを特徴とするワイヤーハーネス製造用の配索治具。
【発明の詳細な説明】
【技術分野】
【０００１】
本発明は、引上装置の吊り上げフックの引っ掛け部を有するワイヤーハーネスの製造方法、および、その製造方法の実施に使用する配索治具に関するものである。
【背景技術】
【０００２】
自動車には大量のワイヤーハーネスが使用されており、資源の有効活用の点から、廃車時にはワイヤーハーネスの取り外しが行われている。
【０００３】
ワイヤーハーネスを車両から取り外す場合、一般的には、引上装置のフックをワイヤーハーネスに引っ掛けて強引に吊り上げることで引き剥がしを行っているが、フックを引っ掛ける箇所が見つからないことがある。
【０００４】
そこで、ワイヤーハーネスにフックを引っ掛けるための紐状体を予め取り付けておいたり、電線束の間にフックを引っ掛けるためのスリットを設けておいたりすることが提案されている（例えば、特許文献１、特許文献２参照）。
【０００５】
図６を用いて、フックを引っ掛けるための紐状体を有するワイヤーハーネスを製造する場合の工程を説明する。まず、（ａ）、（ｂ）のような支持ベース１１１の支柱の上端にＵ字状のフォーク１１０を有する配索治具１００を用意し、Ｕ字状フォーク１１０の上に突き出た２本のピン１１２の間に複数の電線Ｗａを収容しながら、電線Ｗａを所定の経路に沿って配索する。そして、テープ巻きにより結束して、一体のワイヤーハーネスＷを作る際に、（ｃ）のように、紐状体１２０を一緒に取り付けておき、紐状体１２０の輪の部分にフック２００を引っ掛けられるようにしておく。
【先行技術文献】
【特許文献】
【０００６】
【特許文献１】特開２００３−２１９５２５号公報
【特許文献２】特開２００３−２２９０２５号公報
【発明の概要】
【発明が解決しようとする課題】
【０００７】
ところで、このように紐状体１２０を取り付けた場合は、ワイヤーハーネスＷを梱包状態から取り出すときに紐状体１２０が絡まりやすいという問題がある。また、梱包する際には、小さく折り曲げて梱包することになるが、ワイヤーハーネスＷを構成する電線Ｗａが集中して収束されている場合には、その箇所が硬く太くなるため、図６（ｃ）に示すように小さい曲率で曲げにくくなり、ワイヤーハーネスＷに無理な負担を加えながら梱包せざるを得なくなっていた。
【０００８】
また、特許文献２には、電線束の間に予めフックを引っ掛けるためのスリットを設けておくことが提案されているが、スリットを電線束の間に設けること自体が難しかった。
【０００９】
本発明は、上記事情を考慮し、フックを引っ掛けるための部分を簡単に確保することのできるワイヤーハーネスの製造方法、および、その方法の実施に直接使用する配索治具を提供することを目的とする。
【課題を解決するための手段】
【００１０】
請求項１の発明は、配索台上に設置したＵ字状のフォークの内部に複数の電線を収容しながら、所定の経路に沿って電線を配索して、必要箇所にテープ巻きを施すことにより、一体に束ねたワイヤーハーネスを得るワイヤーハーネスの製造方法において、前記Ｕ字状のフォークを構成する上に突き出た２本のピンの間に、それら外側のピンより背の低い第３のピンを立設することで、三叉状のフォークを構成し、該三叉状のフォークの内部に複数の電線を収容する際に、前記第３のピンの両側に電線を振り分けて収容し、その状態を保ちながら必要箇所にテープ巻きを施して、束ねた電線をフォークから外すことにより、前記第３のピンの存在した箇所に、吊り上げフックの引っ掛け可能なスリットを確保することを特徴とする。
【００１１】
請求項２の発明は、請求項１に記載のワイヤーハーネスの製造方法に使用される配索治具であって、配索台上に固定される支持ベースの支柱の上端に、配索しようとする電線を収容するＵ字状のフォークが設けられ、該Ｕ字状のフォークを構成する上に突き出た２本のピンの間に、それら外側のピンより背の低い第３のピンが立設されることで、前記フォークが三叉状とされていることを特徴とする。
【００１２】
請求項３の発明は、請求項２に記載の配索治具であって、前記外側の２本のピンの間に立設された第３のピンの下端が、前記支持ベースの支柱の上端に上下方向回動可能に連結され、二叉状フォークとして利用するときは、前記第３のピンを下側に回動させて前記支持ベースの支柱に沿って保持し、三叉状フォークとして利用するときは、前記第３のピンを上側に回動させて、前記外側の２本のピンの間に保持することを特徴とする。
【発明の効果】
【００１３】
請求項１の発明によれば、三叉状のフォークの内部に複数の電線を収容する際に、第３のピンの両側に電線を振り分けて収容し、その状態を保ちながら必要箇所にテープ巻きを施して、束ねた電線をフォークから外すことにより、第３のピンの存在した箇所に、吊り上げフックの引っ掛け可能なスリットを確保するので、電線束の間に簡単にフックの引っ掛け部分を用意することができる。従って、従来例の紐状体を取り付ける場合のように製造上の面倒がない上、梱包状態から取り出す際に絡まる心配もない。また、電線束の間にスリットが存在することにより、電線束が２つの細い束に分割されるので、その部分でワイヤーハーネスを曲げやすくなり、梱包時に余計な負担がかかることもない。
【００１４】
請求項２の発明によれば、簡単な構成により、請求項１の製造方法を実施することができる。
【００１５】
請求項３の発明によれば、通常の二叉状のフォークとして使うこともできるし、前記スリットを形成するための三叉状のフォークとして使うこともできる。そのため、使い勝手のよい配索治具となる。
【図面の簡単な説明】
【００１６】
【図１】本発明の実施形態の製造方法の説明図で、（ａ）は三叉状のフォークを有する配索治具に電線を収容している状態を示す正面図、（ｂ）はその状態の上から見た図、（ｃ）は出来上がったワイヤーハーネスのスリットにフックを引っ掛けようとしている状態を示す図である。
【図２】（ａ）は前記スリットを確保した部分を曲げた状態を示す斜視図、（ｂ）はその状態を上から見た図である。
【図３】三叉状のフォークを有する配索治具のバリエーションを示す図で、（ａ）は正面図、（ｂ）は上から見た平面図である。
【図４】三叉状のフォークを有する配索治具の他のバリエーションを示す図で、（ａ）は正面図、（ｂ）は上から見た平面図である。
【図５】三叉状のフォークと二叉状のフォークを使い分けられるようにした配索治具の例を示す図で、（ａ）は二叉状にしたときの正面図、（ｂ）は二叉状から三叉状に切り換える途中の状態を示す側面図、（ｃ）は三叉状にして電線を配索しているときの状態を示す正面図である。
【図６】従来のワイヤーハーネスの製造方法の説明図で、（ａ）は二叉状のフォークに電線を配索しているときの状態を示す正面図、（ｂ）はそのときの状態を上から見た平面図、（ｃ）はワイヤーハーネスを作る際にフックを引っ掛けるための紐状体を一緒に取り付けた状態を示す側面図、（ｄ）は従来のワイヤーハーネスの曲げにくさを示す図である。
【発明を実施するための形態】
【００１７】
以下、本発明の実施形態を図面を参照して説明する。
【００１８】
図１は実施形態のワイヤーハーネスの製造方法の説明図である。
【００１９】
このワイヤーハーネスＷを製造する場合は、図示しない配索台上に配索治具１Ａをセットする。
【００２０】
この配索治具１Ａは、配索台上に固定される支持ベース１１の支柱の上端に、配索しようとする電線Ｗａを収容するＵ字状のフォーク１０を設け、該Ｕ字状のフォーク１０を構成する上に突き出た２本のピン１２の間に、それら外側のピン１２より背の低い第３のピン１３を立設することで、フォーク１０を三叉状に構成したものである。
【００２１】
ワイヤーハーネスＷを製造する場合は、この配索治具１Ａのフォーク１０の内部に複数の電線Ｗａを収容しながら、所定の経路に沿って電線Ｗａを配索して、必要箇所にテープ巻きを施すことにより、一体に束ねたワイヤーハーネスを得る。
【００２２】
その際、三叉状のフォーク１０の内部に複数の電線Ｗａを収容するときに、（ａ）および（ｂ）に示すように、第３のピン１３の両側に電線Ｗａを振り分けて収容し、その状態を保ちながら、必要箇所にテープ巻きを施して、束ねた電線をフォーク１０から外すことにより、第３のピン１３の存在した箇所に、（ｃ）に示すように、吊り上げフック２００の引っ掛け可能なスリットＳを確保する。
【００２３】
このように配線治具１Ａを用いることで、電線束の間に簡単にフック２００の引っ掛け部分であるスリットＳを確保することができる。従って、従来例の紐状体を取り付ける場合のように製造上の面倒がない上、梱包状態から取り出す際に絡まる心配もない。また、電線束の間にスリットＳが存在することにより、図２に示すように、電線束が２つの細い束Ｗ１に分割されるので、その部分でワイヤーハーネスＷを曲げやすくなり、梱包時に余計な負担がかかることもない。
【００２４】
なお、スリットＳの幅を小さくとりたい場合と、スリットＳの幅を大きくとりたい場合とで、図３および図４に示すような配索治具１Ｂ、１Ｃを使い分けてもよい。
【００２５】
図３の配索治具１Ｂでは、三叉状のフォーク２０を構成する３本のピン１２、２３のうち、真ん中の第３のピン２３を断面長円形の部材で構成し、長い寸法Ｂ１を有する方向を外側の２本のピン１２の並び方向と直交する方向に向け、短い寸法Ａ１を有する方向を外側の２本のピン１２の並び方向と同一方向に向けている。従って、この配索治具１Ｂによれば、スリットＳの幅を狭く設定することができる。
【００２６】
また、図４の配索治具１Ｃでは、三叉状のフォーク３０を構成する３本のピン１２、３３のうち、第３のピン３３を断面長円形の部材で構成し、短い寸法Ｂ２を有する方向を外側の２本のピン１２の並び方向と直交する方向に向け、長い寸法Ａ２を有する方向を外側の２本のピン１２の並び方向と同一方向に向けている。従って、この配索治具１Ｃによれば、スリットＳの幅を大きく設定することができる。
【００２７】
また、図３および図４の配索治具１Ｂ、１Ｃでは、断面長円形の第３のピン２３、３３を支持ベース１１に対して固定的に設けているが、断面長円形の第３のピンの断面の向きを９０度変えられるようにしてもよい。そうすれば、１種類の配索治具で、図３および図４と同等の２通りの配索治具を提供することができる。
【００２８】
図５は更に別の配索治具１Ｄを示している。
【００２９】
この配索治具１Ｄでは、三叉状のフォーク５０を構成する３本のピン１２、５３のうち、外側の２本のピン１２の間に立設した第３のピン５３の下端を、支持ベース５１の支柱の上端に上下方向回動可能に連結している。
【００３０】
そして、（ａ）に示すように、二叉状フォークとして利用するときは、第３のピン５３を下側に回動させて支持ベース５１の支柱の空洞５２内に保持し、（ｃ）に示すように、三叉状フォークとして利用するときは、第３のピン５３を上側に回動させて、外側の２本のピン１２の間に保持する。こうすることで、図１の製造方法をそのまま実施することができる。
【符号の説明】
【００３１】
１Ａ〜１Ｄ  配索治具
１０，２０，３０，５０  フォーク
１１，５１  支持ベース
１２  外側のピン
１３，２３，３３，５３  第３のピン
２００  フック
Ｗ  ワイヤーハーネス
Ｗａ  電線
Ｓ  スリット
【図１】
2010273467.tif 000003
【図２】
2010273467.tif 000004
【図３】
2010273467.tif 000005
【図４】
2010273467.tif 000006
【図５】
2010273467.tif 000007
【図６】
2010273467.tif 000008